(57)【要約】【課題】キャブのガラス窓に付着する、ワイパー、ウオッシャ液、また人力清掃などでは拭い取るのが困難な異物による、視界が悪化する問題を改善し、視界を向上させることができる、キャブを提供する。【解決手段】キャブのガラス窓の外面に、順次剥離を可能に積層貼着した複数枚の透明のフィルムを備える。【選択図】図１
2007211473.tif 000002
【特許請求の範囲】
【請求項１】
キャブのガラス窓の外面に、順次剥離を可能に積層貼着した複数枚の透明のフィルムを備えている、
ことを特徴とするキャブ。
【請求項２】
複数枚のフィルムが、予め一体に貼着された積層フィルムを形成している、
ことを特徴とする請求項１記載のキャブ。
【請求項３】
複数枚のフィルム各々が、外縁に互いに未貼着の剥離用摘み部を少なくとも一個所備えている、
ことを特徴とする請求項１または２記載のキャブ。
【発明の詳細な説明】
【技術分野】
【０００１】
本発明は、建設機械などのキャブにおいて、ガラス窓に付着する取れにくい汚れによって視界が悪化する問題を改善し、視界を向上させるキャブに関する。
【背景技術】
【０００２】
例えば油圧ショベルのような建設機械に備えられるキャブのガラス窓である前窓には、ガラス面にかかる雨滴を拭い取る装置であるワイパーが備えられている（例えば、特許文献１参照）。一方、建設機械のように塵埃の多い現場で稼働する機械のキャブのガラス面には、雨天でない場合においても、泥水、埃などの汚れが付着しやすい。この付着する汚れは、ワイパーを作動させ、必要に応じてウオッシャ液を噴射して拭い取られる。ワイパーで拭いきれない汚れ、またワイパーを備えていないガラス窓の汚れは、作業者が人力によって取っている。
【特許文献１】特開平８−２６８２３８号公報（第１図）
【発明の開示】
【発明が解決しようとする課題】
【０００３】
上述したとおりの形態の従来のキャブには、ガラス窓に付着する汚れに関連して、次のとおりの解決すべき課題がある。
【０００４】
例えば、トンネル掘削工事のような現場においては、泥水、埃等の他に、速乾性の吹付けセメントのような異物が飛散し、ガラス窓に付着する。特に速乾性のセメントのような異物は、一旦ガラス窓に付着するとワイパー、ウオッシャ液、手拭き掃除などでは拭い取るのが難しい。汚れを取り運転視界を確保するためには、ガラス窓のガラス交換が必要な場合がある。
【０００５】
本発明は上記事実に鑑みてなされたもので、その技術的課題は、キャブのガラス窓に付着するワイパー、ウオッシャ液、また人力清掃などでは拭い取るのが困難な異物による、視界が悪化する問題を改善し、視界を向上させることができる、キャブを提供することである。
【課題を解決するための手段】
【０００６】
本発明によれば上記技術的課題を解決するキャブとして、キャブのガラス窓の外面に、順次剥離を可能に積層貼着した複数枚の透明のフィルムを備えている、ことを特徴とするキャブが提供される。
【０００７】
好適には、複数枚のフィルムは、予め一体に貼着された積層フィルムを形成している。また、複数枚のフィルム各々は、外縁に未貼着の剥離用摘み部を少なくとも一個所備えている。
【発明の効果】
【０００８】
本発明に従って構成されたキャブは、キャブのガラス窓の外面に、順次剥離を可能に積層貼着した複数枚の透明のフィルムを備えている。したがって、フィルムに、ワイパー、ウオッシャ液、あるいは手拭きなどでは拭い取るのが困難な異物が付着し視界が悪化した場合には、汚れの付着したフィルムを作業者が剥ぎ取ることにより、視界を向上させることができる。
【発明を実施するための最良の形態】
【０００９】
以下、本発明に従って構成されたキャブについて、建設機械の代表例である油圧ショベルに備えられるキャブにおける好適実施形態を図示している添付図面を参照して、さらに詳細に説明する。
【００１０】
図１を参照して説明する。全体を番号２で示すキャブは、略直方体状に形成され、前面（図１（ａ）の左手前側）にガラス窓である前窓４を備え、左側面（図１（ａ）の右手前側）に乗降用のドア６を備え、天井部の前窓４側に天窓８を備えている。前窓４は、開閉自在な上窓１０と、固定された下窓１２を備えている。前窓４の大きさ（面積）の過半は上窓１０によって占められている。
【００１１】
キャブ２には、前窓４、天窓８の他に、ガラス窓が、ドア６、キャブ２の左側面、図示していないが右側面、後面等にも備えられている。
【００１２】
前窓４の左右の外縁の一側（キャブ内から見て右側）に雨滴を拭い取る装置であるワイパー１４を備えている。
【００１３】
図１とともに図２を参照して説明する。上窓１０のガラス１１の外面Ｆには、複数枚の透明のフィルム１６を順次剥離を可能に積層貼着した積層フィルム１８が貼着されている。
【００１４】
このフィルム１６は、透明度が高く、引き裂き強度が大きく、耐候性を有した樹脂フィルム、例えばポリエステル樹脂により成形されている。強度をより必要とするときには、ポリカーボネート樹脂フィルムを用いるとよい。積層フィルム１８は、フィルム１６を複数枚、粘着剤によって重ねて貼付して形成されている。フィルム１６の厚さ、枚数は、例えば建設機械の稼働する現場の状況、付着する異物の種類などに合わせて、汚れの程度、損傷、変形に対する配慮等に基づいて決められる。
【００１５】
積層フィルム１８の大きさ（面積）は、上窓１０のガラス１１の周縁に、窓フレームなどに取り付けるのに必要な、積層フィルム１８を貼着しない帯状の、フレームへの接着代、あるいはエッジゴムへの挿入代としての帯部Ｗを回りに設けた略矩形に形成されている。
【００１６】
上窓１０における積層フィルム１８の下端部側の幅方向両側には、複数枚のフィルム１６の各々が外縁において未貼着の剥離用摘み部１７、１７備えている。
【００１７】
一対の剥離用摘み部１７、１７は、汚れの付着したフィルム１６を剥ぎ取るときに作業者が利用する。剥離用摘み部１７には、フィルム１６を一枚ごとに剥がし易いように、例えばフィルム１６とフィルム１６の間に分離タグ（図示していない）を備えるとよい。この分離タグは、一枚ごとに記号、色などによって識別するとよい。
【００１８】
剥離用摘み部１７は、フィルム１６を貼付するガラス窓の形状、大きさ、キャブにおける設置位置などによって、剥がし操作がし易い位置に、またし易い数を備えればよい。
【００１９】
上述したとおりのキャブ２の作用効果について説明する。
【００２０】
キャブ２は、ガラス窓である前窓４の上窓１０の外面Ｆに、順次剥離を可能に積層貼着した複数枚の透明のフィルム１６を備えている。したがって、最上部表面のフィルム１６に付着する、ワイパー、ウオッシャ液、あるいは手拭きなどでは拭い取るのが困難な異物によって、視界が悪化した場合には、汚れの付着した最上部のフィルム１６を剥ぎ取ることにより、汚れのないフィルム１６を最上部にして視界を向上させることができる。
【００２１】
フィルム１６はまた、特に建設機械などのキャブにおいて、ガラス窓に衝突する異物、障害物などによる、ガラスの損傷、飛散を防止することができる。
【００２２】
複数枚のフィルム１６を、予め一体に貼着した積層フィルム１８として形成することにより、ガラス窓に必要なときに容易に後付けすることができる。
【００２３】
さらに、複数枚のフィルム１６各々の外縁に未貼着の剥離用摘み部１７を備えることにより、汚れた最上部のフィルム１６を容易に剥がし取ることができる。
【００２４】
以上、本発明を実施例に基づいて詳細に説明したが、本発明は上記の実施例に限定されるものではなく、例えば下記のように、本発明の範囲内においてさまざまな変形あるいは修正ができるものである。
【００２５】
本発明の実施例においては、予め複数枚のフィルム１６を一体に貼着した積層フィルム１８をガラス窓に貼着したが、ガラス窓に直接複数枚のフィルム１６を積層貼着するようにしてもよい。
【００２６】
本発明の実施例においては、フィルム１６はキャブ２の前窓４の上窓１０に備えられているが、フィルムを他のガラス窓、例えば下窓１２、天窓８、ドア６の窓などに、その形状に合わせて備えてもよいことは言うまでもない。
【図面の簡単な説明】
【００２７】
【図１】（ａ）は、本発明に従って構成されたキャブを斜め左前上方から見た斜視図、（ｂ）は、図１（ａ）のＡ−Ａ矢印方向に見て、ガラスおよびフィルムの構成を拡大して示した説明図。
【図２】図１の前窓のガラスを、フィルムを貼着した状態で示した正面図。
【符号の説明】
【００２８】
２：キャブ
４：前窓（ガラス窓）
１０：上窓（ガラス窓）
１６：フィルム
１７：剥離用摘み部
１８：積層フィルム
Ｆ：外面
【図１】
2007211473.tif 000003
【図２】
2007211473.tif 000004